(57)【要約】      （修正有）【課題】効率よく確実に操作入力を行えるようにする。【解決手段】人差し指が挿入される人差し指部１１２、中指が挿入される中指部１１３、薬指が挿入される薬指部１１４、及び小指が挿入される小指部１１５を備えた手袋１０１と、人差し指部１１２、中指部１１３、薬指部１１４、及び小指部１１５のうちの少なくともいずれかの手の甲の側に設けられ、親指を近接又は接触させることによりオン又はオフされる接点１２２〜１２５とを備えた操作入力装置１０を提供する。接点１２２〜１２５は、人差し指部１１２、中指部１１３、薬指部１１４、小指部１１５のうちの少なくともいずれかの、夫々に挿入された指の爪が位置する部分に設ける。【選択図】図３
2012093845.tif 000002
【特許請求の範囲】
【請求項１】
人差し指が挿入される人差し指部、中指が挿入される中指部、薬指が挿入される薬指部、及び小指が挿入される小指部を備えた手袋と、
前記人差し指部、前記中指部、前記薬指部、及び前記小指部のうちの少なくともいずれかの手の甲の側に設けられ、親指を近接又は接触させることによりオン又はオフされる接点と、
を備えることを特徴とする操作入力装置。
【請求項２】
請求項１に記載の操作入力装置であって、
前記接点が、前記人差し指部、前記中指部、前記薬指部、及び前記小指部のうちの少なくともいずれかの、夫々に挿入された指の爪が位置する部分に設けられている
ことを特徴とする操作入力装置。
【請求項３】
請求項１に記載の操作入力装置であって、
前記接点は、機械式の接点、圧力センサ、光センサ、磁気センサ、静電容量センサ、渦電流センサ、及び温度センサのうちの少なくともいずれかを用いて構成される
ことを特徴とする操作入力装置。
【請求項４】
人差し指が挿入される人差し指部、中指が挿入される中指部、薬指が挿入される薬指部、及び小指が挿入される小指部を備えた手袋、及び、前記人差し指部、前記中指部、前記薬指部、及び前記小指部のうちの少なくともいずれかの手の甲の側に設けられ、親指を近接又は接触させることによりオン又はオフされる接点を備える操作入力装置と、
前記手袋に設けられ、前記接点の状態を示す信号を情報処理装置に伝える通信手段と、
プロセッサ、メモリ、前記電気信号を受け付ける信号受信部、及び受け付けた前記電気信号に応じた情報を出力する情報出力部を備える前記情報処理装置と
を備えることを特徴とする操作入力システム。
【請求項５】
請求項４に記載の操作入力システムであって、
前記情報出力部は、表示装置又は音声出力装置のうちの少なくともいずれかを含む
ことを特徴とする操作入力システム。
【発明の詳細な説明】
【技術分野】
【０００１】
本発明は、操作入力装置、及び操作入力システムに関し、とくに効率よく確実に操作入力を行えるようにするための技術に関する。
【背景技術】
【０００２】
特許文献１には、携帯情報装置向けにＡＳＣＩＩ文字セットの表示可能な９４文字を少ない操作で生成できるようにすることなどを目的とし、親指部の先端部と、人差し指部、中指部、薬指部、小指部のうち、少なくとも一つの指部の先端部に導電性物質から成る電極を形成し、親指部電極とそれ以外の指部の電極に異なる電位を与え、親指部以外の指部の電極はそれぞれ独立したオン・オフスイッチ素子の入力部に接続してなる手袋状入力装置が開示されている。
【０００３】
特許文献２には、少ない文字入力キー数と少ない打鍵数とで文字入力が可能な外部状態識別型文字入力装置と文字入力方法を提供すべく、操作者のキーの打鍵動作により打鍵キー情報を出力するキーボードと、打鍵動作に対応して操作者が発生させる外部状態を入力して外部状態識別情報として出力する外部情報認識手段と、文字入力装置を制御すると共に打鍵キー情報と外部状態識別信号とを組み合わせて文字情報として出力する制御部と、を備えた、操作者が電子機器に文字情報を入力するための文字入力装置が開示されている。また上記外部情報認識手段が、打鍵指識別信号発生部と打鍵指認識部とを備えており、打鍵指識別信号発生部が操作者がキーボードのキーを打鍵する動作によって打鍵した指を識別する打鍵指信号を発生し、打鍵指認識部が打鍵指信号から外部状態識別情報として打鍵指情報を発生して制御部に出力すること、打鍵指認識部は手袋状であり、所定の指先部に打鍵圧を検知するセンサを備えることなどが開示されている。
【０００４】
特許文献３には、指先のない手袋の甲部分に取り付けられ当該手袋を装着することによって操作者の手の甲位置に装着されて操作者の手の甲の動き及び姿勢を検出する手甲検出手段と、操作者の指の第１関節より先の指先に指貫または指輪リング状、あるいは指先の爪に接着可能なように取り付けられ、操作者の指の姿勢を検出する指姿勢検出手段と、を有し、手甲検出手段によって手の甲の相対位置と姿勢を検出すると共に指姿勢検出手段によって手の甲に対する指先の相対位置を決定することにより手のジェスチャを解析し、操作入力コマンド情報データへの変換を可能となした操作入力装置が開示されている。
【０００５】
特許文献４には、手袋の各指部の先端部に手袋を装着する人の指先よりも長く伸ばした爪先部を通す穴が形成されると共に、該穴が形成された各指部の手の平側の先端部内壁にキー押圧部材が固着されてなるキー操作用手袋が開示されている。
【先行技術文献】
【特許文献】
【０００６】
【特許文献１】特開２００７−２８７０８６号公報
【特許文献２】特開２００１−２０２１８５号公報
【特許文献３】特開２００８−６５８６０号公報
【特許文献４】特開２００１−１１５３１９号公報
【発明の概要】
【発明が解決しようとする課題】
【０００７】
電力会社等において行われる停電作業等の作業現場では、電力設備に対して操作を行う場合に、操作内容の確認や操作結果の記録を行う必要がある。しかし従来、こうした記録は筆記用具等を用いて手作業により行われている場合が多く、確認や記録を行う際に両手が使えず、記録中は作業が中断してしまうという問題があった。また停電作業等の作業中は筆記用具や操作票を常時携帯している必要があり、筆記用具を置き忘れてしまうことも少なくない。また記録中は、操作対象である電力設備等から一旦、目線を反らさなければならず、作業効率が低下し誤操作の可能性も高くなる。
【０００８】
本発明はこのような課題に鑑みてなされたもので、効率よく確実に操作入力を行うことが可能な、操作入力機能を備えた操作入力装置、及び操作入力システムを提供することを目的とする。
【課題を解決するための手段】
【０００９】
上記目的を達成するための主たる発明は、操作入力装置であって、人差し指が挿入される人差し指部、中指が挿入される中指部、薬指が挿入される薬指部、及び小指が挿入される小指部を備えた手袋と、前記人差し指部、前記中指部、前記薬指部、及び前記小指部のうちの少なくともいずれかの手の甲の側に設けられ、親指を近接又は接触させることによりオン又はオフされる接点と、を備えることとする。
【００１０】
また接点は、例えば、人差し指部、中指部、薬指部、及び小指部のうちの少なくともいずれかの、夫々に挿入された指の爪が位置する部分に設けられていることとする。
【００１１】
このように、本発明にあっては、各接点がいずれも親指を始めとする他の指が接触しにくい、手袋の手の甲の側、とくに各指（人差し指、中指、薬指、小指）の爪の部分（手の甲の側の、各指の先端から第１関節までの部分）に設けられているので、誤操作の可能性が少ない。また手袋の手の平の側には何も設けられていないため、作業性にも優れる。一方、操作入力に際しユーザは親指を各指に近づけることで容易に接点を操作することができる。このように、本発明の操作入力装置によれば、効率よく確実に操作入力を行うことができる。
【００１２】
尚、本発明において、上記接点は、例えば、機械式の接点、圧力センサ、光センサ、磁気センサ、静電容量センサ、渦電流センサ、及び温度センサのうちの少なくともいずれかを用いて構成される。
【００１３】
また上記操作入力装置は、上記手袋に設けられ接点の状態を示す信号を情報処理装置に伝える通信手段を備えており、情報処理装置は、プロセッサ、メモリ、電気信号を受け付ける信号受信部、及び受け付けた電気信号に応じた情報を出力する情報出力部を備える。また上記情報出力部は、表示装置又は音声出力装置のうちの少なくともいずれかを含む。
【００１４】
その他、本願が開示する課題、及びその解決方法は、発明を実施するための形態の欄、及び図面により明らかにされる。
【発明の効果】
【００１５】
本発明によれば、効率よく確実に操作入力を行うことができる。
【図面の簡単な説明】
【００１６】
【図１】本発明の一実施形態として説明する操作入力システム１の概略的な構成を示す図である。
【図２】ユーザに操作入力システム１が装着されている様子を示す図である。
【図３】操作入力装置１０の構成を説明する図である。
【図４】情報処理装置２０のハードウエア構成を説明する図である。
【図５】情報処理装置２０の機能を説明する図である。
【図６】操作票情報２２１の一例である。
【図７】接点ＩＤを説明する図である。
【図８】機能設定表２２２の一例を示す図である。
【図９】「『ＯＫ』を入力する」という指示を情報処理装置２０に与える場合の操作（指の動き）を説明する模式図である。
【図１０】「『ＮＧ』を入力する」という指示を情報処理装置２０に与える場合の操作（指の動き）を説明する模式図である。
【図１１】「『進む』を入力する」という指示を情報処理装置２０に与える場合の操作（指の動き）を説明する模式図である。
【図１２】「『進む』を入力する」という指示を情報処理装置２０に与える場合の操作（指の動き）を説明する模式図である。
【図１３】操作票入力処理Ｓ１３００を説明するフローチャートである。
【発明を実施するための形態】
【００１７】
以下、本発明の一実施形態につき詳細に説明する。図１に本発明の一実施形態として説明する、操作入力システム１の概略的な構成を示している。操作入力システム１は、例えば、電力会社によって行われる停電作業等の現場にて作業員等のユーザ７が自身の体に装着して用いられる。
【００１８】
同図に示すように、操作入力システム１は、ユーザ７の手８（腕）に装着される手袋１０１及びこの手袋１０１に設けられている各種操作入力機構を備えて構成されるユーザインタフェースである操作入力装置１０、ユーザ７の腕に装着される情報処理装置２０、及び操作入力装置１０と情報処理装置２０とを接続する通信線５を備える。
【００１９】
手袋１０１は、例えば、ユーザ７の利き腕でない側の手８に装着される。尚、以下の説明において、ユーザ７は右利きであるものとし、手袋１０１は図２に示すようにユーザ７の左手８に装着されるものとする。情報処理装置２０は、金属、皮革、樹脂、布等の素材からなるリストバンド等の装着部材６によってユーザ７の腕（手首）等に装着される。
【００２０】
通信線５は、例えば、メタルケーブル、ＵＳＢ（Universal Serial Bus） 通信ケーブル、Ｉ２Ｃ（Inter-Integrated Circuit）通信ケーブル、光ファイバケーブル等を用いて構成される、シリアル（Serial）方式又はパラレル（Parallel）方式の通信ケーブルである。
【００２１】
図３に操作入力装置１０の構成を示している。同図に示すように、手袋１０１は、親指が挿入される親指部１１１、人差し指が挿入される人差し指部１１２、中指が挿入される中指部１１３、薬指が挿入される薬指部１１４、及び小指が挿入される小指部１１５を備える。また同図に示すように、手袋１０１は、人差し指部１１２、中指部１１３、薬指部１１４、及び小指部１１５の、夫々に挿入された指の爪が位置する部分（手８の甲の側の、各指の先端から第１関節までの部分）に、接点１２２、接点１２３、接点１２４、及び接点１２５を備える。
【００２２】
図３に破線の吹き出しで示しているように、各接点１２２〜１２５は、いわゆる機械式（接触式）の接点であって、２つの端子１４ａ，１４ｂと、ユーザ７の操作によって両端子と接触される稼働切片１５とを有する。このうち稼働切片１５は、手袋１０１の手８の甲の側に突設されている。ユーザ７は、手８の甲の側から稼働切片１５を操作することにより、接点１２２〜１２５をオンオフすることができる。接点１２２〜１２５の夫々の端子は、配線１３０を介していずれも通信線５に結線されている。
【００２３】
図３に示すように、手袋１０１のこれに挿入される手８の手首付近には振動発生装置１４０が設けられている。振動発生装置１４０は、例えば、偏心モータや圧電素子を用いて構成される。接点１２２〜１２５と同様、振動発生装置１４０の端子も配線１４５を介して通信線５に結線されている。
【００２４】
図４に情報処理装置２０のハードウエア構成を示している。同図に示すように、情報処理装置２０は、プロセッサ２１、メモリ２２、入力装置２３、信号受信部２４、表示装置２５、音声出力装置２６、及び振動制御回路２７等を備える。
【００２５】
このうちプロセッサ２１は、ＣＰＵ（Central Processing Unit）又はＭＰＵ（Micro Processing Unit）等である。プロセッサ２１が、メモリ２２に格納されているプログラムを読み出して実行することにより情報処理装置２０の様々な機能が実現される。メモリ２２は、ＲＡＭ（Random Access Memory）、ＲＯＭ（Read Only Memory）等であり、プログラムやデータが格納される。入力装置２３は、例えば、操作ボタン、タッチパネル、キーボード等である。尚、入力装置２３の全部又は一部の機能を操作入力装置１０に代替させるようにしてもよい。
【００２６】
信号受信部２４は、通信線５を介して操作入力装置１０から送られてくる信号（以下、操作信号と称する。）を受信する。操作信号には、接点１２２〜１２５のオンオフ状態を示す信号が含まれており、信号受信部２４は、例えば、接点１２２〜１２５の開閉状態を電気信号の有無によって検知する回路や、所定の通信プロトコル（ＵＳＢ、Ｉ２Ｃ、ＵＡＲＴ（Universal Asynchronous Receiver Transmitter）に従い接点１２２〜１２５のオンオフ状態を取得する通信モジュール等を用いて構成されている。
【００２７】
表示装置２５は、液晶パネル、タッチパネル、有機ＥＬパネル、電界放出ディスプレイ（FED:Field Emission Display）等であり、ユーザ７に視覚的な情報を出力するユーザインタフェースである。音声出力装置２６は、音声情報を出力するユーザインタフェースである。音声出力装置２６は、例えば、Ｄ／Ａコンバータ、低周波増幅回路、スピーカ等を用いて構成される。振動制御回路２７は、低周波発振回路、低周波増幅回路等を用いて構成されている。
【００２８】
図５に情報処理装置２０の機能を示している。同図に示すように、情報処理装置２０は、設定処理部２１１、操作信号受信部２１２、操作表入力処理部２１３、表示処理部２１４、音声処理部２１５、及び振動制御部２１６の各機能を備える。同図に示すように、情報処理装置２０は、操作票情報２２１及び機能設定表２２２をデータとして管理（記憶）する。尚、情報処理装置２０が備える上記機能は、情報処理装置２０のハードウエアによって、もしくは、プロセッサ２１がメモリ２２に格納されているプログラムを読み出して実行することにより実現される。
【００２９】
情報処理装置２０が備える上記機能のうち、設定処理部２１１は、入力装置２３を介してユーザ７から操作入力を受け付け、受け付けた内容に従って後述する機能設定表２２２の設定を行う。
【００３０】
操作信号受信部２１２は、通信線５を介して操作入力装置１０から送られてくる操作信号を受信する。操作表入力処理部２１３は、表示装置２５や音声出力装置２６への操作票に関する情報の出力、操作信号に応じた操作票情報２２１の更新等、操作票に関する処理を行う。
【００３１】
表示処理部２１４は、操作票処理部２１３からの指示に応じて表示装置２５の表示制御を行う。音声処理部２１５は、操作票処理部２１３からの指示に応じて音声出力装置２６を制御して音声を出力する。振動制御部２１６は、操作票処理部２１３からの指示に応じて通信線５を介して振動発生装置１４０を制御して振動を発生させる。
【００３２】
情報処理装置２０が管理している操作票情報２２１には、ユーザ７が作業現場において操作すべき対象や操作の内容（以下、操作内容と称する。）や、ユーザ７が作業現場において実際に行った操作に関する情報や操作の履歴（以下、操作結果と称する。）等の情報が含まれる。図６に操作票情報２２１の一例を示している。同図に示すように、操作票情報２２１は、操作内容を識別する識別子２２１１、操作内容が設定される操作内容２２１２、及び操作結果が設定される操作結果２２１３の各項目を有するレコードで構成されている。
【００３３】
ユーザ７は、入力装置２３に所定の操作を行うことで、手袋１０１に備えられた各接点１２２〜１２５に個別に機能を設定することができる。設定処理部２１１は、ユーザ７により設定された各接点１２２〜１２５の機能（接点１２２〜１２５がオンされた場合に行う機能）を機能設定表２２２に管理（記憶）する。ユーザ７は、設定処理部２１１によって提供される機能を利用して各接点１２２〜１２５に機能を設定する。尚、図７に示すように、本実施形態では、接点１２２〜１２５に、接点ＩＤとして夫々「Ａ」、「Ｂ」、「Ｃ」、「Ｄ」が付与されているものとする。
【００３４】
機能設定表２２２には、各接点１２２〜１２５に設定されている機能が管理されている。図８に機能設定表２２２の一例を示す。例示した機能設定表２２２には、各接点１２２〜１２５の接点ＩＤ２２２１、指の名称２２２２、及び現在その接点１２２〜１２５に割り当てられている機能２２２３が、対応づけて管理されている。例示した機能設定表２２２では、接点ＩＤが「Ａ」の接点がオンされた場合は「『ＯＫ』を入力する」という動作が、接点ＩＤが「Ｂ」の接点がオンされた場合は「『ＮＧ』を入力する」という動作が、接点ＩＤが「Ｃ」の接点がオンされた場合は「『進む』を入力する」という動作が、接点ＩＤが「Ｄ」の接点がオンされた場合は「『戻る』を入力する」という動作が夫々実行されるように、各接点１２２〜１２５の機能が設定されている。
【００３５】
各接点１２２〜１２５に対して所定の操作を行うことで、ユーザ７は効率よく確実に情報処理装置２０に情報を入力することができる。
【００３６】
図９にユーザ７が人差し指部１１２に設けられている接点１２２を操作して、「『ＯＫ』を入力する」という指示を情報処理装置２０に与える場合の操作（指の動き）を示している。同図に示すように、この場合は人差し指を曲げて親指１１１の腹の部分（指紋のある部分）を人差し指部１１２の先端に近づけ、親指１１１の腹の部分で接点１２２の稼働切片１５を押下することにより接点１２２をオンする。
【００３７】
図１０にユーザ７が中指部１１３に設けられている接点１２３を操作して、「『ＮＧ』を入力する」という指示を情報処理装置２０に与える場合の操作（指の動き）を示している。同図に示すように、この場合は中指を曲げて中指部１１３の先端に親指１１１の腹の部分を近づけ、親指１１１の腹の部分で接点１２３の稼働切片１５を押下することにより接点１２３をオンする。
【００３８】
図１１にユーザ７が薬指部１１４に設けられている接点１２４を操作して、「『進む』を入力する」という指示を情報処理装置２０に与える場合の操作（指の動き）を示している。図に示すように、この場合は薬指を曲げることにより薬指部１１４の先端を親指１１１の腹の部分に近づけ、親指１１１の腹の部分で接点１２４の稼働切片１５を押下することにより接点１２４をオンする。
【００３９】
図１２にユーザ７が小指部１１５に設けられている接点１２５を操作して、「『進む』を入力する」という指示を情報処理装置２０に与える場合の操作（指の動き）を示している。同図に示すように、この場合は小指を曲げることにより小指部１１５の先端を親指１１１の腹の部分に近づけ、親指１１１の腹の部分で接点１２５の稼働切片１５を押下することにより接点１２５をオンする。
【００４０】
次に本実施形態の操作入力システム１を利用して行われる操作入力方法について具体例とともに説明する。
【００４１】
図１３は、ユーザ７が操作票の操作内容の確認、及び操作結果の入力を行う際に、情報処理装置２０の操作票処理部２１３によって行われる処理（以下、操作票入力処理Ｓ１３００と称する。）を説明するフローチャートである。以下、同図とともに説明する。
【００４２】
操作票処理部２１３は、入力装置２３に対してユーザ７が操作票入力処理Ｓ１３００を開始させるための所定の操作を行ったか否かを監視している（Ｓ１３１１）。操作票処理部２１３は、上記所定の操作が行われたことを検知すると（Ｓ１３１１：ＹＥＳ）、操作票情報２２１から操作内容を読み出し（Ｓ１３１２）、読み出した操作内容を表示装置２５に表示する（Ｓ１３１３）。
【００４３】
ユーザ７は、表示された操作内容を確認し、操作内容に対応する操作を電力設備等に対して行う。そしてユーザ７は、操作入力装置１０を操作し、上記操作内容についての操作結果の入力を行う（Ｓ１３１４）。
【００４４】
操作票処理部２１３は、ユーザ７が上記入力を行うと（Ｓ１３１４：ＹＥＳ）、入力を受け付けた旨を表示装置２５に表示する（Ｓ１３１５）。また操作票処理部２１３は、Ｓ１３１４にて受け付けた入力の内容が適切か否かを判断する（Ｓ１３１６）。受け付けた内容が適切でなければ（Ｓ１３１６：ＮＯ）、操作票処理部２１３は、表示装置２５にエラーを出力し（Ｓ１３１７）、その後はＳ１３１３に戻る。受け付けた入力内容が適切であれば（Ｓ１３１６：ＹＥＳ）、Ｓ１３２０に進む。尚、受け付けた入力内容が適切でない場合とは、例えば、Ｓ１３１４にて「ＯＫ」又は「ＮＧ」の入力しか受け付けることができないにも拘わらず、「進む」や「戻る」等が入力された場合である。
【００４５】
Ｓ１３２０では、操作入力装置１０は、受け付けた入力内容（操作結果）を、操作票情報２２１に登録する。次に操作入力装置１０は、ユーザ７が操作すべき操作内容を全て提示済か否かを判断する（Ｓ１３２１）。ユーザ７が操作すべき操作内容を全て提示済であれば（Ｓ１３２１：ＹＥＳ）、処理が終了する。ユーザ７が操作すべき操作内容が残存する場合には（Ｓ１３２１：ＮＯ）、Ｓ１３１２に戻る。
【００４６】
尚、以上の処理において、表示装置２５への情報の出力に代えて、もしくは、表示装置２５への情報の出力とともに上記情報に対応する音声を音声出力装置２６から出力するようにしてもよい。また表示装置２５への情報の出力に代えて、もしくは、表示装置２５への情報の出力とともに上記情報に対応して振動発生装置１４０を振動させるようにしてもよい。
【００４７】
以上に説明したように、本実施形態の操作入力システム１にあっては、各接点１２２〜１２５が、いずれも親指１１１を始めとする他の指が接触しにくい、手袋１０１の手８の甲の側、とくに各指（人差し指、中指、薬指、小指）の爪の部分（手８の甲の側の、各指の先端から第１関節までの部分）に設けられているので、誤操作の可能性が少ない。一方、操作入力に際しては、ユーザ７は親指１１１を各指に近づけることで、容易に接点１２２〜１２５を操作することができる。また手袋１０１の手８の平の側には何も設けられていないため、作業性にも優れる。このように、本実施形態の操作入力装置１０によれば、効率よく確実に操作入力を行うことができる。
【００４８】
またユーザ７は、操作入力装置１０については手袋１０１として手８に装着し、情報処理装置２０については装着部材６によって腕に装着して操作入力システム１を用いるので、常時両手が開放され効率よく作業を進めることができる。また操作入力システム１がユーザ７の体に常時装着されていることで置き忘れてしまうようなこともない。また本実施形態の操作入力システム１を用いることで、ユーザ７は筆記用具等を常時携帯する煩わしさからも解放される。
【００４９】
また操作入力を片手で行うことができるので、ユーザ７は作業に集中することができ、誤操作を防ぐことができる。また表示装置２５を用いた視覚的な情報伝達に加えて、音声出力装置２６による聴覚的な情報伝達、振動発生装置１４０による触覚的な情報電圧を併用することで、ユーザ７は操作対象から目線を反らさずに作業を進めることができ、安全かつ確実に作業を行うことができる。
【００５０】
また図３に示したように、本実施形態の操作入力装置１０は構成要素が少なく構造もシンプルであるので量産性に優れており、また製造コストを低廉に抑えることができる。
【００５１】
尚、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【００５２】
例えば、以上の実施形態では、接点１２２〜１２５を、人差し指部１１２、中指部１１３、薬指部１１４、及び小指部１１５の、夫々に挿入された指の爪が位置する部分（手８の甲の側の、各指の先端から第１関節までの部分）に設けているが、接点１２２〜１２５は、手８の甲の側の、各指の第１関節から第２関節までの部分や、手８の甲の側の、各指の第２関節から第３関節までの部分に設けることも可能である。
【００５３】
以上の実施形態では、接点１２２〜１２５として手袋１０１に機械式（接触式）の接点を用いているが、圧力センサ、光センサ、磁気センサ、静電容量センサ、渦電流センサ、及び温度センサ等の他の方式の接点を用いることもできる。
【００５４】
接点１２２〜１２５と信号受信部２４との間の通信、もしくは振動発生装置１４０と指導制御回路２７との間の通信は必ずしも有線方式で行う必要はなく、無線方式（無線ＬＡＮ、Ｂｌｕｅｔｏｏｔｈ、Ｚｉｇｂｅｅ等）で行うようにしてもよい。
【００５５】
尚、本発明の適用範囲は必ずしも前述した操作票の入力に限定されず、パーソナルコンピュータの入力インタフェースとして用いる等、操作入力が必要とされる他の様々な場面に広く適用することができる。
【符号の説明】
【００５６】
１  操作入力システム
１０  操作入力装置
１０１  手袋
１１１  親指部
１１２  人差し指部
１１３  中指部
１１４  薬指部
１１５  小指部
１２２〜１２５  接点
２０  情報処理装置
２３  入力装置
２４  信号受信部
２５  表示装置
２１１  設定処理部
２１２  操作信号受信部
２１３  操作表入力処理部
２１４  表示処理部
２１５  音声処理部
２２１  操作票情報
２２２  機能設定表
Ｓ１３００  操作票入力処理
【図１】
2012093845.tif 000003
【図２】
2012093845.tif 000004
【図３】
2012093845.tif 000005
【図４】
2012093845.tif 000006
【図５】
2012093845.tif 000007
【図６】
2012093845.tif 000008
【図７】
2012093845.tif 000009
【図８】
2012093845.tif 000010
【図９】
2012093845.tif 000011
【図１０】
2012093845.tif 000012
【図１１】
2012093845.tif 000013
【図１２】
2012093845.tif 000014
【図１３】
2012093845.tif 000015